(57)【特許請求の範囲】
【請求項１】
運転席の背面に配置されたエアコンユニットでキャブ内の空調を行うようにした建設機械であって、
前記運転席の着座シート部の下側に冷却保温ボックスを設けると共に、該冷却保温ボックスの内部と前記エアコンユニットのエアダクトの内部との間を通風パイプを介して連結してなる建設機械の運転室内に於ける冷却保温装置に於いて、
上記着座シート部は、シートクッション部、シートバック部で形成され、通常は上記冷却保温ボックスの上を覆って配置され、上記シートクッション部はそのシートクッション部の前部と該シートクッション部直下のシートベースの前部をヒンジを介して前後方向に回動可能に取り付け、前記冷却保温ボックスの開口を開放するときに、前記ヒンジを支点として、前記シートクッション部をシートバック部と共に前後方向に転倒して前記冷却保温ボックスの上から内容物を移動できるように構成して成り、
上記エアダクトの途中のエア分岐口からエアが上記通風パイプ側に流れるように構成し、上記通風パイプを通って上記エアダクトの内部から上記冷却保温ボックスの内部に送られるエアを遮断可能とするための開閉弁を上記エア分岐口に設けたことを特徴とする建設機械の運転室内に於ける冷却保温装置。
【請求項２】
運転席の背面に配置されたエアコンユニットでキャブ内の空調を行うようにした建設機械であって、
前記運転席の着座シート部の下側に冷却保温ボックスを設けると共に、該冷却保温ボックスの内部と前記エアコンユニットのエアダクトの内部との間を通風パイプを介して連結してなる建設機械の運転室内に於ける冷却保温装置に於いて、
上記冷却保温ボックスを上記着座シート部の下側前方に引き出し可能に構成されて成り、
上記エアダクトの途中のエア分岐口からエアが上記通風パイプ側に流れるように構成し、上記通風パイプを通って上記エアダクトの内部から上記冷却保温ボックスの内部に送られるエアを遮断可能とするための開閉弁を上記エア分岐口に設けたことを特徴とする建設機械の運転室内に於ける冷却保温装置。
【発明の詳細な説明】
【技術分野】
【０００１】
本発明は例えば油圧ショベルのような建設機械に関するものであり、特に、運転席の背面に配置されたエアコンユニットでキャブ内の空調を行うようにした建設機械の運転室内に於ける冷却保温装置に関するものである。
【背景技術】
【０００２】
従来、運転席の背面に配置されたエアコンユニットでキャブ内の空調を行うようにした建設機械に於いて、該エアユニットからの冷気又は暖気を導入して、冷たい清涼飲料を保管したり、暖かい弁当を保管することができるように構成された冷却保温ボックスを備える冷却保温装置は知られている（例えば、特許文献１参照）。
【０００３】
図６は特許文献１に開示された冷気保温装置の概略構成を示すものである。この冷却保温装置では、キャブ５０内に於ける運転席５１の背面にカバー５２で覆われたエアコンユニット５３が設けられ、該エアコンユニット５３で生成された冷気又は暖気がエアダクト５４を通して背面吹出口５５からキャブ５０内に吹き出し、該キャブ５０内の冷房又は暖房が行えるようになっている。
【０００４】
加えて、同じカバー５２内に於いて、カバー５２の上方には冷却保温ボックス５６が設けられており、該冷却保温ボックス５６の内部がエア通風パイプ５７を介してエアダクト５４の内部と連通されている。この連通により、エアダクト５４内を流れる冷気又は暖気の一部が通風パイプ５７を通って冷却保温ボックス５６内に導入され、冷たい清涼飲料を保管したり、暖かい弁当を保管することができるようになっている。
【特許文献１】特開平１２−１９２５１３号公報。
【発明の開示】
【発明が解決しようとする課題】
【０００５】
しかしながら、特許文献１記載の発明は、運転席５１の背面でカバー５２により覆われた収納空間内で、エアコンユニット５３の上方に冷却保温ボックス５６を設けているので、収納空間に制約されて小さな冷却保温ボックス５６しか設けることが出来ない。このため、冷却保温ボックス５６の収納容量が小さいという問題があった。
【０００６】
そこで、冷却保温ボックスの設置空間を大きく確保し、冷却保温ボックスの収納容量も大きくすることが可能な構造を得るために解決すべき技術的課題が生じてくるのであり、本発明はこの課題を解決することを目的とする。
【課題を解決するための手段】
【０００７】
本発明は上記目的を達成するために提案されたものであり、請求項１記載の発明は、運転席の背面に配置されたエアコンユニットでキャブ内の空調を行うようにした建設機械であって、
前記運転席の着座シート部の下側に冷却保温ボックスを設けると共に、該冷却保温ボックスの内部と前記エアコンユニットのエアダクトの内部との間を通風パイプを介して連結してなる建設機械の運転室内に於ける冷却保温装置に於いて、
上記着座シート部は、シートクッション部、シートバック部で形成され、通常は上記冷却保温ボックスの上を覆って配置され、上記シートクッション部はそのシートクッション部の前部と該シートクッション部直下のシートベースの前部をヒンジを介して前後方向に回動可能に取り付け、前記冷却保温ボックスの開口を開放するときに、前記ヒンジを支点として、前記シートクッション部をシートバック部と共に前後方向に転倒して前記冷却保温ボックスの上から内容物を移動できるように構成して成り、
上記エアダクトの途中のエア分岐口からエアが上記通風パイプ側に流れるように構成し、上記通風パイプを通って上記エアダクトの内部から上記冷却保温ボックスの内部に送られるエアを遮断可能とするための開閉弁を上記エア分岐口に設けた建設機械の運転室内に於ける冷却保温装置を提供する。
【０００８】
この構成によれば、運転席の着座シート部の下側に存在する比較的余裕のある空間を利用して大きな冷却保温ボックスを配置することができる。又、従来、冷却保温ボックスを配置していた運転席の背面空間を、別の目的でのスペースとしても使用することができる。
【００１０】
この構成によれば、通常は、冷却保温ボックスを着座シート部で覆って隠しておき、該冷却保温ボックスを使用するときに、着座シート部を移動させると冷却保温ボックスの開口を開放できる。
【００１１】
請求項２記載の発明は、運転席の背面に配置されたエアコンユニットでキャブ内の空調を行うようにした建設機械であって、
前記運転席の着座シート部の下側に冷却保温ボックスを設けると共に、該冷却保温ボックスの内部と前記エアコンユニットのエアダクトの内部との間を通風パイプを介して連結してなる建設機械の運転室内に於ける冷却保温装置に於いて、
上記冷却保温ボックスを上記着座シート部の下側前方に引き出し可能に構成されて成り、
上記エアダクトの途中のエア分岐口からエアが上記通風パイプ側に流れるように構成し、上記通風パイプを通って上記エアダクトの内部から上記冷却保温ボックスの内部に送られるエアを遮断可能とするための開閉弁を上記エア分岐口に設けた建設機械の運転室内に於ける冷却保温装置を提供する。
【００１２】
この構成によれば、通常は、冷却保温ボックスを上記着座シート部の下に格納して隠しておき、該冷却保温ボックスを引き出して開放すると、該冷却保温ボックスを使用することができる。
【００１４】
この構成によれば、開閉弁を操作することによって、エアダクト内のエアが冷却保温ボックス内に流れるのを遮断することができる。
【発明の効果】
【００１５】
請求項１記載の発明は、運転席の着座シート部の下側に存在する比較的余裕のある空間を利用して大きな冷却保温ボックスを配置することができるので、収納容量の大きな冷却保温ボックスの設置が可能になり、実用性の向上に寄与できる。又、従来、冷却保温ボックスを配置していた運転席の背面空間を別の目的でのスペースとしても使用することができるので、更に実用性の向上に寄与できる。
【００１６】
この発明は、冷却保温ボックスを通常は着座シート部で覆って隠しておくので体裁が良く、又、使用するときには着座シート部を移動させることにより、冷却保温ボックスを簡単に開放させて使用することができるので、前記記載の効果に加えて、更に実用性が向上する。
また、上記シートクッション部はそのシートクッション部の前部と該シートクッション部直下のシートベースの前部をヒンジを介して前後方向に回動可能に取り付け、前記冷却保温ボックスの開口を開放するときに、前記ヒンジを支点として、前記シートクッション部をシートバック部と共に前後方向に転倒して前記冷却保温ボックスの上から内容物を移動できるように構成したので、冷却保温ボックス内に清涼飲料や弁当等を出し入れする場合は、アームレストをシートバック部側に折り畳み、続いて該シートバック部をシートクッション部上に倒し、更にシートクッション部をシートバック部と共に前側にヒンジ３０を支点として回転させて倒すと冷却ボックスが現れる。続いて、冷却保温ボックスを開けて、該冷却保温ボックス内に清涼飲料水や弁当等を出し入れすることができる。この出し入れが終わったら、前とは反対の動作を順次行なって再び運転可能な状態に戻すことができる。従って、この構成によれば、運転席の着座シート部の下側に存在した空間を有効利用して冷却保温ボックスを配置しているので、収納容量の大きな冷却保温ボックスを配置することができる。
【００１７】
請求項２記載の発明は、冷却保温ボックスを、通常は着座シート部の下側に格納して隠しておくことができるので体裁が良く、又、使用するときには着座シート部の下から引き出すことによって冷却保温ボックスを簡単に開放させて使用することができるので、更に実用性が向上する。
【００１８】
請求項２記載の発明は、開閉弁の操作をすることによって、エアダクト内のエアが冷却保温ボックス内に流れるのを選択的に遮断することができるので、冷却保温ボックスの温度を弱めたりする温度調節を簡単に行なうことができるので、冷却保温ボックスの温度を弱めたりする温度調節を簡単に行なうことができ、更に実用性が向上する。
【発明を実施するための最良の形態】
【００１９】
冷却保温ボックスの設置空間を大きく確保し、冷却保温ボックスの収納容量も大きくすることが可能な構造を得るために、キャブ内の運転席の着座シート部の下側に冷却保温ボックスを設けると共に、該冷却保温ボックスの内部と前記エアコンユニットのエアダクトの内部との間を通風パイプを介して連結した建設機械の運転室内に於ける冷却保温装置を提供する。
【実施例１】
【００２０】
以下、本発明の一実施の形態を図面に従って詳述する。図１は本発明を適用した建設機械としての油圧ショベルを示す。該油圧ショベル１０は、下部走行体１１の上に旋回機構１２を介して上部旋回体１３が旋回自在に載置されている。上部旋回体１３には、その前方一側部にキャブ１４が設けられ、且つ、前方中央部にブーム１５が俯仰可能に取り付けられている。又、ブーム１５の先端にアーム１６が上下回動自在に取り付けられ、更に該アーム１５の先端にバケット１７が取り付けられている。
【００２１】
図２は、キャブ１４内の概略構成を示す。該キャブ１４内の左右両側には、コンソールボックス１８，１８が配設され、該コンソールボックス１８，１８の間に運転席の着座シート部１９が設置されている。又、該着座シート部１９の背面側にはカバー２０で覆われた収納空間２１(図３及び図４参照)が設けられ、該収納空間２１内にエアコンユニット２２(図３及び図４参照)が設置されている。
【００２２】
前記コンソールボックス１８の上面前部には、上部旋回体１３やブーム１５，アーム１６，バケット１７を作動せしめる各種作業用油圧アクチュエータ(図示せず)を操作するための作業用操作レバー２３が設けられている。又、コンソールボックス１８の前面下部には、キャブ１４の乗降通路を遮断する開放可能なゲートロックレバー２４が設けられている。
【００２３】
図３及び図４は本発明に係る冷却保温装置を設けた運転席とカバー２０で覆われた収納空間２１内の構造を概略的に示す側面図である。図３及び図４に於いて、着座シート部１９は、シートサスペンション部２５上に、当該着座シート部１９の位置を前後方向に調整するためのシートアジャスタ２６を介して設置されている。この着座シート部１９は、シートクッション部２７とシートバック部２８とアームレスト２９等で構成されている。又、アームレスト２９はシートバック部２８の側面に折り畳み可能で、シートバック部２８もシートクッション部２７上に転倒させて折り畳み可能になっている。更に、シートクッション部２７は、その前部がシートベース３８にヒンジ３０を介して前後方向に回動可能に取り付けられており、ヒンジ３０を支点としてシートバック部２８と共に前後方向に転倒可能になっている。
【００２４】
又、着座シート部１９に於いて、シートベース３８には、シートクッション部２７の下側空間を利用して冷却保温ボックス３１が取り付けられている。該冷却保温ボックス３１は、上面に開閉可能な蓋３２が設けられており、該蓋３２を開けると、内部に清涼飲料を入れた缶や瓶、或いは弁当等を収納することができるようになっている。その冷却保温ボックス３１は、例えば発砲プラスチック製シート材をベースに、当該発砲プラスチック製シート材の表面にアルミニューム箔等を付着させた断熱材を基に箱状に形成されているもので、一般にクーラーボックスと言われている構造のものである。又、この冷却保温ボックス３１には、通風パイプ３７の一端側が接続され、該通風パイプ３７を通して冷風又は温風を外部から内部に取り入れることができる構造になっている。
【００２５】
運転席の背面でカバー２０で覆われた前記収納空間２１内に於いて、エアコンユニット２２には、該エアコンユニット２２で生成された冷気又は暖気(以下、単に「エア」という)を所定の場所に送るエアダクト３３が設けられており、該エアダクト３３内に送り出されたエアをカバー２０に設けられた背面吹出口３４からキャブ１４内に送り出すことができるようになっている。尚、符号３６は、収納ボックスであり、該収納ボックス３６は単に小物入れを収納するために使用する、或いは、従来と同様に冷却保温ボックスとしてそのまま使用してもよいものである。
【００２６】
又、エアダクト３３の途中にはエア分岐口３３ａが設けられており、該エア分岐口３３ａに冷却保温ボックス３１に一端を接続している通風パイプ３７の他端が接続されている。更に、エア分岐口３３ａの周辺には、該エア分岐口３３ａを遮断可能な開閉弁３５が取り付けられている。尚、当該開閉弁３５は、エア分岐口３３ａを閉じるとエア分岐口３３ａから通風パイプ３７側に流れるエアが遮断され、開くとエア分岐口３３ａから通風パイプ３７側にエアが流れるようになるもので、その操作は手動又は自動で行われる。又、その開閉弁３５の開閉量を調節して、通風パイプ３７側に流れるエアの量を調節することも可能である。
【００２７】
次に、このように構成された冷却保温装置の動作を図３及び図４を用いて説明する。図３は着座シート部１９が使用態様に設定された状態を示しており、冷却保温ボックス３１は、シートクッション部２７で覆われている。又、開閉弁３５が開かれている状態に於いて、エアコンユニット２２が駆動されて、エアコンユニット２２からのエアがエアダクト３３内に送り出されると、そのエアは背面吹出口３４を通ってキャブ１４内に送り出され、該キャブ１４内の温度調整を行うことができる。又、エアダクト３３内に送り出されたエアの一部は、エア分岐口３３ａから通風パイプ３７内を通って冷却保温ボックス３１の内部に送り込まれ、該エアにより冷却保温ボックス３１内の冷却又は保温を行う。又、開閉弁３５でエア分岐口３３ａを閉じると、冷却保温ボックス３１内に送り込まれるエアを止めることができ、この開閉弁３５の開閉量の調節で冷却保温ボックス３１内の温度をコントロールすることができる。
【００２８】
一方、冷却保温ボックス３１内に清涼飲料や弁当等を出し入れする場合は、アームレスト２９をシートバック部２８側に折り畳み、続いて該シートバック部２８をシートクッション部２７上に倒し、更にシートクッション部２７をシートバック部２８と共に前側にヒンジ３０を支点として回転させて倒すと冷却保温ボックス３１が現れる。続いて、冷却保温ボックス３１の蓋３２を開けると、冷却保温ボックス３１内に清涼飲料や弁当等を出し入れすることができる。図４はこの出し入れ時の状態を示す。又、出し入れが終わったら、前とは反対の動作を順に行うことによって、図３の状態に再び戻すことができる。
【００２９】
従って、本実施の形態による構成によれば、運転席の着座シート部１９の下側に存在していた空間を有効利用して冷却保温ボックス３１を配置しているので、収納容量の大きいな冷却保温ボックスを配置することができる。
【００３０】
又、冷却保温ボックス３１は、通常、着座シート部１９で覆って隠した状態になっているので体裁が良く、又、使用するときにも着座シート部１９を移動させるだけで、冷却保温ボックス３１を簡単に開放させて使用することができる。
【００３１】
更に、開閉弁３５を操作することによって、エアダクト３３内のエアが冷却保温ボックス３１内に流れるのを遮断し、冷却保温ボックス３１内の温度を弱めたりして温度調整が簡単にできる。
【実施例２】
【００３２】
図５は、本発明の第２の実施例としての冷却保温装置を示すものである。本実施例２の構成は、冷却保温ボックス３１を着座シート部１９の下側空間内に引き出し可能に設けたものであり、他の構成は図３と同一であるから、同じ部材には同じ符号を付して重複した説明は省略する。
【００３３】
冷却保温ボックス３１は、シートベース３８に前後方向スライド可能に取り付けられており、通常は、着座シート部１９の下側空間内に押し込まれて、外側から隠された状態で配置されている。そして、冷却保温ボックス３１内に清涼飲料や弁当等を出し入れする場合は、着座シート部１９の下側から引き出し、冷却保温ボックス３１の蓋３２を開けることにより、冷却保温ボックス３１内に清涼飲料や弁当等を出し入れすることができる。図５中に二点鎖線で示す冷却保温ボックス３１は、このようにして着座シート部１９の下側より引き出した状態を示している。又、出し入れが終わったら、前とは反対の動作、即ち、蓋３２を閉じて押し込むことによって、再び元の位置に戻すことができる。
【００３４】
従って、第２の実施例の構造のように、冷却保温ボックス３１を引き出し式にした場合には、その都度、着座シート部１９を移動させなくても済むことになり、出し入れが簡単になる。
【００３５】
尚、本発明は、本発明の精神を逸脱しない限り種々の改変を為すことができ、そして、本発明が該改変されたものに及ぶことは当然である。
【図面の簡単な説明】
【００３６】
【図１】本発明が適用された油圧ショベルの全体側面図。
【図２】同上油圧ショベルに於けるキャブ内の概略構成を示す斜視図。
【図３】第１の実施例を運転可能な状態で示す運転席周辺の概略構成配置図。
【図４】第１の実施例を冷却保温ボックス内に物を出し入れできる状態で示す運転席周辺の概略構成配置図。
【図５】第２の実施例を示す運転席周辺の概略構成配置図。
【図６】従来の建設機械に於ける運転席周辺の概略構成配置図。
【符号の説明】
【００３７】
１４    キャブ
１９    着座シート部
２０    カバー
２１    収納空間
２２    エアコンユニット
２７    シートクッション部
２８    シートバック部
２９    アームレスト
３８    シートベース
３０    ヒンジ
３１    冷却保温ボックス
３２    蓋
３３    エアダクト
３３ａ  エア分岐口
３４    背面吹出口
３５    開閉弁
３６    収納ボックス
３７    通風パイプ
【図１】
0004813026.tif 000002
【図２】
0004813026.tif 000003
【図３】
0004813026.tif 000004
【図４】
0004813026.tif 000005
【図５】
0004813026.tif 000006
【図６】
0004813026.tif 000007